(57)【要約】【課題】現地で居ながらしてエレベータに関する諸種の物件データを確認可能とする。【解決手段】乗りかご２のかご操作パネル３に設置され、エレベータ制御盤４に接続される赤外線窓１４と、乗りかごの運行制御を実行するエレベータ制御盤４と、このエレベータ制御盤４に接続される情報システムセンタ５と、エレベータに関する物件データを記述した基本メニュー画像を含む複数の選択画像を記憶するデータベース１６とを備え、前記エレベータ制御盤４は、携帯端末１から赤外線窓１４を通して送られてくる画像要求データを受信したとき、データベースから基本メニュー画像を読み出して携帯端末に送信して表示させる手段４ｃと、この表示された基本メニュー画像の画像要求項目の中から１つの要求項目が選択されたとき、その要求項目に応じた選択画像を読み出して送信し携帯端末に表示させる手段４ｃとを有する現地エレベータの物件データ確認システム。【選択図】      図１
2010006514.tif 000002
【特許請求の範囲】
【請求項１】
かご呼びや乗場呼びに対する呼び登録後に乗りかごを目的階に運行制御するエレベータ制御盤を備えたエレベータにおいて、
前記乗りかごのかご操作パネルまたは特定の階に設置され、前記エレベータ制御盤に赤外線伝送ラインを介して接続される赤外線窓と、運行制御を実行する前記エレベータ制御盤と、このエレベータ制御盤に通信回線を介して接続される情報システムセンタと、前記エレベータ制御盤または前記情報システムセンタに設けられ、エレベータに関する物件データを記述した基本メニュー画像を含む複数の選択画像を記憶する記憶手段とを備え、
前記エレベータ制御盤または前記情報システムセンタは、特定の担当者が所持する携帯端末から前記赤外線窓を通して送られてくる画像要求データを受信したとき、前記記憶手段から基本メニュー画像を読み出して送信し前記携帯端末に表示させる手段と、この表示された基本メニュー画像に記述される画像要求項目の中から１つの画像要求項目が選択されたとき、その要求項目に応じた選択画像を読み出して送信し前記携帯端末に表示させる手段とを有することを特徴とする現地エレベータの物件データ確認システム。
【請求項２】
請求項１に記載の現地エレベータの物件データ確認システムにおいて、
前記エレベータ制御盤または前記情報システムセンタは、前記携帯端末からの画像要求データに先立ち、当該携帯端末からＩＤ番号及びパスワードを受け取り、真正な担当者か否かを認証し、真正な担当者であれば、画像要求データを受け付ける認証処理手段を更に付加したことを特徴とする現地エレベータの物件データ確認システム。
【請求項３】
請求項１に記載の現地エレベータの物件データ確認システムにおいて、
前記情報システムセンタは、定期的または適宜な時期に基本メニュー画像及び複数の選択画像の一部の記述内容を更新し、あるいは新たな選択画像を作成し前記記憶手段に追加することを特徴とする現地エレベータの物件データ確認システム。
【発明の詳細な説明】
【技術分野】
【０００１】
本発明は、現地にてエレベータの所要とする物件データを確認できる現地エレベータの物件データ確認システムに関する。
【背景技術】
【０００２】
従来、エレベータに関するサービス業務を提供する営業担当者は、事前に事務所に保存してある契約リスト等の内容を確認したり、あるいはサービス管理センタで収集されたエレベータの物件データを確認し、エレベータを設置する客先に出向くことが多い。
【０００３】
しかし、営業担当者が急に近くの客先を訪問する場合、その客先のエレベータに関するデータを収集していないので、例えばどんな契約のもとにエレベータが設置されているか、あるいはどのような支払い条件となっているかなどのデータが無く、客先に適切なアドバイスを提供できない問題がある。
【０００４】
ところで、近年、現地でメンテナンスを行う際、携帯端末を用いて、管理センタから現地エレベータに関するメンテナンスソフトを取得し、当該メンテナンスソフトに基づいてエレベータ制御盤から過去の履歴運転データを読出し、これら履歴運転データから故障原因を解析し、この故障原因に対するメンテナンス対処法を取得できるシステムが提案されている（特許文献１）。
【特許文献１】特開２００５−０４１６７４号公報
【発明の開示】
【発明が解決しようとする課題】
【０００５】
しかし、以上のようなシステムでは、管理センタから現地エレベータのメンテナンスソフトを取得し、メンテナンスソフトと過去の履歴運転データとから故障原因に対する対処法を得るものであるため、現地エレベータの機種及びバジョンに合致するメンテナンスソフトが必要であり、また現地エレベータのメンテナンス以外の目的には利用できない。
【０００６】
また、携帯端末としては、メンテナンスソフトが故障原因や故障原因に対するメンテナンスの対処法を見つけ出すものであって、現地エレベータの基礎的、一般的なデータを見ながら、必要なデータを確認するものではない。
【０００７】
また、管理センタやエレベータ制御盤から必要なデータを取得する場合、携帯端末をアクセスポイントに接続する必要があり、比較的大掛かりなデータ収集作業となってしまう。
【０００８】
本発明は上記事情に鑑みてなされたもので、エレベータを設置する現地で比較的簡単に所要とする物件データの画像を読み出して確認し、営業ツールの充実化を促進し、エレベータのサービスを提供する担当者の効率を向上する現地エレベータの物件データ確認システムを提供することを目的とする。
【課題を解決するための手段】
【０００９】
上記課題を解決するために、本発明は、かご呼びや乗場呼びに対する呼び登録後に乗りかごを目的階に運行制御するエレベータ制御盤を備えたエレベータであって、
前記乗りかごのかご操作パネルまたは特定の階に設置され、前記エレベータ制御盤に赤外線伝送ラインを介して接続される赤外線窓と、運行制御を実行する前記エレベータ制御盤と、このエレベータ制御盤に通信回線を介して接続される情報システムセンタと、前記エレベータ制御盤または前記情報システムセンタに設けられ、エレベータに関する物件データを記述した基本メニュー画像を含む複数の選択画像を記憶する記憶手段とを備え、
前記エレベータ制御盤または前記情報システムセンタは、特定の担当者が所持する携帯端末から前記赤外線窓を通して送られてくる画像要求データを受信したとき、前記記憶手段から基本メニュー画像を読み出して送信し前記携帯端末に表示させる手段と、この表示された基本メニュー画像に記述される画像要求項目の中から１つの画像要求項目が選択されたとき、その要求項目に応じた選択画像を読み出して送信し前記携帯端末に表示させる手段とを有する現地エレベータの物件データ確認システムである。
【００１０】
なお、前記エレベータ制御盤または前記情報システムセンタとしては、携帯端末からの画像要求データに先立ち、携帯端末からＩＤ番号及びパスワードを受け取り、真正な担当者か否かを認証し、真正な担当者であれば、画像要求データを受け付ける認証処理手段を設けてもよい。
【００１１】
また、前記情報システムセンタとしては、定期的または適宜な時期に基本メニュー画像及び複数の選択画像の一部の記述内容を更新し、あるいは新たな選択画像を作成し前記記憶手段に追加することができる。
【発明の効果】
【００１２】
本発明によれば、現地で比較的簡単にエレベータの諸種の物件データを記述する画像を選択的に読み出して確認でき、エレベータのサービスを提供する担当者の効率を向上できる現地エレベータのデータ確認システムを提供できる。
【発明を実施するための最良の形態】
【００１３】
以下、本発明の実施の形態について図面を参照して説明する。  
図１は本発明に係る現地エレベータの物件データ確認システムの一実施の形態を示す構成図である。
【００１４】
この物件データ確認システムは、携帯端末１と、エレベータの乗りかご２のかご操作パネル３と、エレベータ制御盤４と、情報システムセンタ５と、ホストコンピュータ６と、ＰＣ（パソコン）端末７とで構成される。
【００１５】
携帯端末１は、図２に示すように赤外線窓１ａが設けられ、内部的には赤外線通信機能を備えた携帯電話または携帯情報端末等が用いられ、一定のセキュリティ入力条件のもとに赤外線通信を行う機能を持っている。
【００１６】
乗りかご２内に設置されるかご操作パネル３は、通常、図２に示すように、各階行先ボタン１１、非常呼びボタン１２、乗りかご２の現在階を表示するデジタルインジケータ１３が取り付けられているが、本発明システムではさらに赤外線窓１４が設けられている。
【００１７】
赤外線窓１４には、エレベータ制御盤４から導出される赤外線ＬＡＮ１５が配線され、前記携帯端末１との間で相互に赤外線通信が可能となっている。
【００１８】
エレベータ制御盤４は、運行制御プログラムに従って乗りかご２の運行制御を行う運行制御部４ａ、認証処理部４ｂ及び要求データ処理部４ｃが設けられ、さらに図示されていないが赤外線通信機能が備えられている。
【００１９】
エレベータ制御盤４はデータベース１６と接続されている。データベース１６には、乗りかご２の運行制御データ、真正な担当者のＩＤ番号とパスワードとからなる認証照合データの他、図３に示すようなデータ要求ＮＯと画像格納先アドレスとを関係付けた画像格納先テーブル１６ａ、図４に示すようにデータ要求ＮＯに応じた基本メニュー画像を含む複数の選択画像を記述する複数の画像ファイルＡ〜Ｅが格納されている。
【００２０】
情報システムセンタ５は、例えばエレベータサービスセンタやエレベータ管理センタであってもよいが、ここでは少なくとも定期的あるいは任意の時期に画像格納先テーブル１６ａや複数の画像ファイル１６Ａ〜１６Ｅの一部または画像ファイルごと更新したり、新たな画像ファイルを作成し追加する機能を有する。
【００２１】
ホストコンピュータ６は、パソコン端末７などの要求を受け付け、そのうち本発明システムに必要なデータを、広域にわたって散在配置される情報システムセンタ５に送信する。
【００２２】
次に、以上のようなデータ確認システムの動作について、図５を参照して説明する。
【００２３】
携帯端末１を所持する外勤の営業担当者や保守員が客先に訪問した際、当該客先のエレベータに関する物件データが必要なとき、乗りかご２内に乗り込んで携帯端末１の赤外線窓１ａをかご操作パネル３の赤外線窓１４に近づけ、自身のＩＤ番号及びパスワードを入力し、赤外線ＬＡＮ１５を通してエレベータ制御盤４に送信する。
【００２４】
エレベータ制御盤４は、常時は運行制御部４ａがホール呼びまたはかご呼びを受けたとき呼び登録すると共に、巻上機に運転駆動指令を送出し、目的階に向けて乗りかご２を運行制御している。
【００２５】
このとき、エレベータ制御盤４は、赤外線ＬＡＮ１５を通ってくるＩＤ番号データを赤外線通信機能により受信すると、電気的なデジタルデータに変換し、エレベータの運行制御とは別に図５に示す一連の処理を実行する。
【００２６】
すなわち、エレベータ制御盤４の認証処理部４ｂは、ＩＤ番号データ入力有りかを判断し（Ｓ１）、ＩＤ番号データ入力有りの場合には当該ＩＤ番号データ及びその後入力されるパスワードを取り込む（Ｓ２，Ｓ３）。そして、取り込んだＩＤ番号データ及びパスワードに基づき、予めデータベース１６に格納される認証照合データを参照し、真正な担当者か否かを判断する（Ｓ４）。
【００２７】
ここで、真正な担当者と判断すると、要求データ処理部４ｃを実行する。要求データ処理部４ｃは、真正な担当者によるデータ要求と判断すると、画像格納先テーブル１６ａのデータ要求ＮＯ（Ａ）に対応付けされた画像格納先アドレスに基づき、図４（ａ）に示す基本メニュー画像ファイルＡを読出し、赤外線通信機能により、かご操作パネル３の赤外線窓１４を通して携帯端末１に送信し（Ｓ５）、当該携帯端末１の表示部に表示させる。この基本メニュー画像は、真正な担当者が必要とする画像要求項目を記述された画面となっている。
【００２８】
そこで、真正な担当者は、画像要求項目の中から例えば契約データをクリックする。
【００２９】
エレベータ制御盤４の要求データ処理部４ｃは、契約データからデータ要求Ｂと判断し（Ｓ６）、選択画像の中の図４（ｂ）に示す契約画像ファイルＢを読出して送信し、携帯端末１の表示部に表示させる。
【００３０】
担当者は、携帯端末１に表示させている契約画像から客先の契約関係を一目瞭然に把握でき、また、携帯端末１から昇降機仕様データをクリックすれば、選択画像の中から図５（ｃ）に示す仕様画像ファイルＣを読出して送信し、携帯端末１の表示部に表示させる。
【００３１】
従って、担当者は客先のエレベータの仕様を把握することができる。
【００３２】
引き続き、次画像の選択継続かを判断し（Ｓ８）、選択指示がなく、閉じボタン（図示せず）をクリックされたとき終了する。
【００３３】
従って、以上のような実施の形態によれば、情報システムセンタ５で所要とする複数の画像ファイルを作成し、エレベータ制御盤４のデータベース１６に格納し、その後必要に応じて画像ファイルを更新することにより、営業担当者が急に近くの客先を訪問する際でも現場で必要な画像ファイルを取り出して表示できるので、営業ツールの充実化を促進でき、サービスを提供する営業担当者の営業効率を高めることができる。
【００３４】
また、携帯端末１とエレベータ制御盤４は、有線伝送ラインで接続することなく、かご操作パネル３の赤外線窓１４に近づけ、赤外線通信によって基本メニュー画像の中から所要とする画像要求項目をクリックし選択するだけでエレベータの必要なデータを取り出すことができる。また、乗りかご２に乗客が満員でない限り、乗客にそれ程迷惑を掛けずに必要なデータを取得できる。
【００３５】
さらに、かご操作パネル３の例えば非常呼びボタン１２とデジタルインジケータ１３との間に赤外線窓１４を設けるだけでよいので、意匠面等から大掛かりな工事が不要であり、低コストで実現できる。
【００３６】
また、必要なデータを取得するに当り、ＩＤ番号及びパスワードの照合を実施し、真正な担当者のみにデータを提供するので、他のユーザにデータが流出することを防止することができる。
【００３７】
（他の実施の形態）  
（１）  上記実施の形態では、エレベータ制御盤４に認証処理部４ｂ及び要求データ処理部４ｃを設けたが、例えば情報システムセンタ５に認証処理部４ｂ及び要求データ処理部４ｃを設けても構わない。この場合、エレベータ制御盤４に赤外線通信機能だけを備え、中継の役目を持たせるだけの構成とする。さらに、データベース１６に代えて、情報システムセンタ５の記憶装置１７に乗りかご２の運行制御データ、真正な担当者のＩＤ番号とパスワードとからなる認証照合データの他、図３に示す客先ごとの画像格納先テーブル１６ａ、図４に示す客先ごとの複数の画像ファイル１６Ａ〜１６Ｅを格納し、情報システムセンタ５にて図５に示す一連の処理を行うようにする。
【００３８】
さらに、記憶装置１７に追加するものとしては、画像データ要求時に客先のエレベータ制御盤４から客先ＩＤが送られてくるので、客先ＩＤと客先画像格納先アドレスのテーブルが設けられ、エレベータ制御盤４からの客先ＩＤに基づいて客先画像格納先アドレスを特定し、当該客先画像格納先アドレスに連なる領域から要求データに応じて客先に関する画像ファイル１６Ａ〜１６Ｅを選択し、携帯端末１に送信する構成となる。
【００３９】
（２）  また、上記実施の形態では、かご操作パネル３に赤外線窓１４を設けたが、基準階または特定階のホール壁または乗場操作パネルに赤外線窓１４を設けた構成であってもよい。
【００４０】
その他、本発明は、上記実施の形態に限定されるものでなく、その要旨を逸脱しない範囲で種々変形して実施することが可能である。
【図面の簡単な説明】
【００４１】
【図１】本発明に係る現地エレベータの物件データ確認システムの一実施の形態を示す構成図。
【図２】携帯端末とエレベータ本体側との間の赤外線通信例を説明する図。
【図３】携帯端末からのデータ要求ＮＯと画像データ格納先との関係付けを定めた画像格納先テーブル図。
【図４】複数の画像データ例を説明する図。
【図５】携帯端末からデータ要求を受けたときのエレベータ制御盤の処理の流れを説明する図。
【符号の説明】
【００４２】
１…携帯端末、１ａ…赤外線窓、２…乗りかご、３…かご操作パネル、４…エレベータ制御盤、４ａ…運行制御部、４ｂ…認証処理部、４ｃ…要求データ処理部、５…情報システムセンタ、１１…各階行先ボタン、１２…非常呼びボタン、１３…デジタルインジケータ、１４…赤外線窓、１５…赤外線ＬＡＮ、１６…データベース、１６ａ…画像格納先テーブル、１７…記憶装置、Ａ〜Ｅ…画像ファイル。
【図１】
2010006514.tif 000003
【図２】
2010006514.tif 000004
【図３】
2010006514.tif 000005
【図４】
2010006514.tif 000006
【図５】
2010006514.tif 000007